(57)【要約】【課題】引き違い戸に簡単に取り付けることができ、かつ窓ガラスを破って侵入する窃盗犯に対しても有効な引き違い戸用ロック装置を提供する。【解決手段】取り付け手段１３により引き違い戸１の召し合わせ部近傍に取り付け自在なロック装置本体７及びロック部材８と、ロック装置本体７に設けられ、かつ駆動手段９によりロック部材８側へ出没されて、ロック部材８との間で引き違い戸１を施錠及び解錠するロック杆７ｂと、リモコン装置より送られる施錠及び解錠信号により駆動手段９を制御する制御手段１０と、引き違い戸１に加わる異常な振動を検知して異常信号を発生する振動検知手段１４とから構成したことから、業者に取り付け工事を依頼するロック装置に比べて経費の削減が図れる上、振動検知手段１４からの異常信号により警報を発することにより、ガラスを破って侵入する窃盗犯にも有効である。【選択図】　　　　図３
2004137851.tif 000002
【特許請求の範囲】
【請求項１】
建物の開口部に取り付けられた引き違い戸をロックする引き違い戸用ロック装置であって、取り付け手段により前記引き違い戸の召し合わせ部近傍に取り付け自在なロック装置本体及びロック部材と、前記ロック装置本体に設けられ、かつ駆動手段により前記ロック部材側へ出没されて、前記ロック部材との間で前記引き違い戸を施錠及び解錠するロック杆と、リモコン装置より送られる施錠及び解錠信号により前記駆動手段を制御する制御手段と、前記引き違い戸に加わる異常な振動を検知して異常信号を発生する振動検知手段とを具備したことを特徴とする引き違い戸用ロック装置。
【請求項２】
前記振動検知手段を、前記ロック装置本体及び前記ロック部材の少なくとも一方に設けてなる請求項１に記載の引き違い戸用ロック装置。
【請求項３】
前記建物内の任意な場所に設置した前記リモコン装置に、複数の引き違い戸に設けられた前記ロック装置本体を個別に施錠及び解錠するスイッチ手段と、一斉に施錠及び解錠するスイッチ手段とを設けてなる請求項１または２に記載の引き違い戸用ロック装置。
【発明の詳細な説明】
【０００１】
【発明の属する技術分野】
本発明はリモートコントローラ（以下単にリモコンという）による遠隔操作により施錠及び解錠が自在な引き違い戸用ロック装置に関する。
【０００２】
【従来の技術】
従来、住宅等の建物の開口部に設置された引き違い戸には、クレセントと称するロック手段が使用されているが、このクレセントは、外部からガラスを破ってクレセントの近傍に孔を明け、この孔より手を挿入することにより簡単に解錠できるため、防犯上有効でない上、最近この種の侵入犯による窃盗事件が頻発している。
またクレセントにより窓の戸締りをする場合、各部屋を回って各窓毎にクレセントを施錠する操作が必要なため、施錠操作に手間と時間がかかる上、１個所でも施錠を忘れると、防犯効果が全くなくなる等の問題もある。
かかる問題を解決するため本出願の発明者は、先に特許文献１に記載されている「引き違い戸用カンヌキ錠」を提案した。
【０００３】
【特許文献１】
特願２００１−１７３８３６号（請求項１〜４）
【０００４】
前記特許文献１に記載のカンヌキ錠は、リモコン操作によりカンヌキを出し入れして、引き違い戸の施錠と解錠を行うようにしたもので、カンヌキがカンヌキ錠本体の外側へ突出することがないので、たとえ引き違い戸のガラスを破って戸の内側へ手を挿入しても解錠することができないため、防犯上有効である等の効果を有するものである。
【０００５】
【発明が解決しようとする課題】
しかし前記特許文献１に記載のカンヌキ錠は、すでに建物の開口部に設置されている既存の引き違い戸に取り付ける場合、引き違い戸の框に孔を穿設する等の作業を必要とするため、一般の人が例えば日曜大工店等から買ってきて簡単に窓に取り付けることができない等の問題がある。
また業者に依頼して各引き違い戸にカンヌキ錠を取り付けた場合でも、窓ガラス全体を破って侵入する窃盗犯に対しては防犯効果がない等の問題がある。
本発明はかかる従来の問題を改善するためになされたもので、引き違い戸に簡単に取り付けることができ、かつ窓ガラスを破って侵入する窃盗犯に対しても有効な引き違い戸用ロック装置を提供することを目的とするものである。
【０００６】
【課題を解決するための手段】
前記目的を達成するため本発明の引き違い戸用ロック装置は、建物の開口部に取り付けられた引き違い戸をロックする引き違い戸用ロック装置であって、取り付け手段により引き違い戸の召し合わせ部近傍に取り付け自在なロック装置本体及びロック部材と、ロック装置本体に設けられ、かつ駆動手段によりロック部材側へ出没されて、ロック部材との間で引き違い戸を施錠及び解錠するロック杆と、リモコン装置より送られる施錠及び解錠信号により駆動手段を制御する制御手段と、引き違い戸に加わる異常な振動を検知して異常信号を発生する振動検知手段とから構成したものである。
【０００７】
前記構成により、一般の人が日曜大工店等でロック装置を購入し、取り付け手段により引き違い戸の召し合せ部近傍に取り付けるだけで既存の引き違い戸の戸締りが行えるため、業者に取り付け工事を依頼する従来のロック装置に比べて経費の大幅な削減が図れると共に、引き違い戸をこじ開けたり、窓ガラスを破ったりした場合に発生する異常な振動を検知する振動検知手段からの異常信号により警報を発することにより、窃盗犯の侵入を未然に防止できるため、防犯効果も格段に向上する。
【０００８】
前記目的を達成するため本発明の引き違い戸用ロック装置は、振動検知手段をロック装置本体及びロック部材の少なくとも一方に設けたものである。
【０００９】
前記構成により、振動検知手段をロック部材側に設けることにより、ロック装置本体側に振動検知手段を設けるスペースが必要ないため、ロック装置本体が小型化できると共に、予め振動検知手段を設けたロック部材と振動検知手段のないロック部材８を用意して、これらを選択できるようにすることにより、振動検知手段を必要としない場合、ロック装置を安価に提供できる上、後から振動検知手段が必要となった場合、振動検知手段付きのロック部材と簡単に交換することもできる。
【００１０】
前記目的を達成するため本発明の引き違い戸用ロック装置は、建物内の任意な場所に設置したリモコン装置に、複数の引き違い戸に設けられたロック装置本体を個別に施錠及び解錠するスイッチ手段と、一斉に施錠及び解錠するスイッチ手段とを設けたものである。
【００１１】
前記構成により、複数の引き違い戸にそれぞれ設けられたロック装置を個別に施錠及び解錠したり、一斉に施錠及ぶ解錠する作業が一個所でできることから、各部屋を回って施錠や解錠をする手間が不要になると共に、締め忘れを未然に防止することができるため、防犯上きわめて有効である。
【００１２】
【発明の実施の形態】
本発明の実施の形態を、図面を参照して詳述する。
図１は図示しない建物の開口部に設置された引き違い戸の正面図、図２はロック装置の斜視図、図３は図２のＡ−Ａ線に沿う断面図、図４はロック装置の構成図である。
図１に示す引き違い戸１は、建物の開口部に固定された外枠１ａ内に、例えば２枚の内障子２と外障子３が引き違い方向に移動自在に嵌合されており、内外障子２，３を構成する縦框２ａ，３ａの召し合せ部に、内外障子２，３をロックするクレセント４が取り付けられている。
内外障子２，３の縦框２ａ，３ａと横框２ｂ，３ｂにより形成された枠内にはガラス５が嵌着されており、召し合せ側と反対の縦框２ａ，２ｂには、内外障子２，３を開閉する際に手を掛ける取手６が設けられている。
【００１３】
また内外障子２，３の召し合せ側縦框２ａ，３ａの例えば下部に、ロック装置が取り付けられている。
ロック装置は図２に示すように、内障子２の縦框２ａ側に取り付けられたロック装置本体７と、外障子３の例えば横框３ｂに取り付けられたロック部材８とよりなる。
これらロック装置本体７及びロック部材８は、一般の人が例えば日曜大工店等から購入して、希望する窓の引き違い戸１に簡単に取り付けられるように、強固な粘着テープや接着剤等の取り付け手段１３により縦框２ａの端面や、横框３ｂとガラス５の室内側面に固着するようになっているが、電動ドリル等の工具が使用できる場合は、工具等により縦框２ａや横框３ｂに孔を穿設して、ねじ等の固着具により固定しても勿論よい。
【００１４】
一方ロック装置本体７は、図２及び図３に示すように長方体状のケース７ａを有している。
このケース７ａは簡単に破壊できないように、金属や強度の高い樹脂等により製作されていて、一端側にカンヌキ状のロック杆７ｂが前後方向に水平移動自在に支承されている。
ロック杆７ｂは、解錠時は両端がケース７ａ内に収納されていて、両端がケース７ａ外へ突出することがなく、施錠時には先端部がロック部材８側へ突出して、ロック部材８に形成されたロック孔８ａ内に嵌入されるようになっており、これによって内外障子２，３の間を施錠できるように構成されている。
【００１５】
またケース７ａ内には、ロック杆７ｂを水平方向へ駆動する駆動手段９と、駆動手段９を制御する制御手段１０及び電源１１が設けられている。
駆動手段９は図４に示すように制御手段１０により正逆回転される電源モータ９ａを有していて、電動モータ９ａの回転軸９ｂに固着されたピニオン９ｃがロック杆７ｂに形成されたラック９ｄに噛合されていて、電動モータ９ａを正逆回転させることによりロック杆７ｂの先端部をケース７ａ内よりロック部材８側へ出没できるようになっている。
制御手段１０は、例えば電池よりなる電源１１より電力が供給されて動作するため、電気配線等が必要ないと共に、図示しないリモコン装置により無線で施錠及び解錠操作ができるように、リモコン装置側より送信される施錠、解除信号を受信する信号受信部１０ａを有している。
【００１６】
制御手段１０とリモコン装置間で無線により通信する手段には、赤外線や超音波、電磁波等の手段が使用されているが、最近自動車のドアを施錠したり解錠するのに使用されている一般的な通信手段を使用してもよい。
通信手段が赤外線の場合は、ケース７ａの前面に受光窓１０ｂを設けて、赤外線による信号がよく受光できるようにし、超音波や電磁波等の場合はケース７ａ内に信号受信部１０ａを設ければよい。
リモコン装置としては、赤外線や超音波により通信を行う場合、手で持って各部屋を回り、個々にロック装置本体７により施錠操作を行う必要があるが、電磁波により通信を行う場合は、免許の必要がない微弱電波を使用した場合でも通信可能距離が１００ｍ程度あるため、例えば台所や玄関等にリモコン装置を設置して、全てのロック装置本体７を一斉に施錠または開場したり、個別に施錠または解錠することが可能になる。
【００１７】
ロック装置本体７を集中して管理する場合リモコン装置には、各部屋の引き違い戸１毎に設けられたロック装置本体７に予め識別番号（ＩＤ番号）を付与し、これらＩＤ番号に対応する表示手段と個別に施錠、解錠するスイッチ手段及び一斉に施錠、解錠するスイッチ手段（ともに図示せず）をリモコン装置に設けておき、個別に施錠及び解錠する場合は、ＩＤ番号に対応するスイッチ手段を操作し、各ロック装置本体７を一斉に施錠、解錠する場合は、一斉に施錠、解錠するスイッチ手段を操作するようになっている。
ロック装置本体７側には、図４に示すようにロック杆７ｂより突設された作動片１２ａと、作動片１２ａにより動作されるリミットスイッチ１２ｂよりなる施解錠検出手段１２が設置されていて、これら施解錠検出手段１２からの信号により制御手段１０は電動モータ９ａの回転停止制御を行うと同時に、検出信号をリモコン装置へ送って、リモコン装置に設けられた表示手段を点灯させることにより、各ロック装置本体７毎に施錠、解錠状態が表示されるようになっている。
【００１８】
一方ロック装置本体７のケース７ａ内には、引き違い戸１を無理にこじ開けたり、ガラスを破った際に発生する異常な振動を検知する振動検知手段１４が設置されていて、この振動検知手段１４は制御手段１０に接続されている。
制御手段１０は、振動検知手段１４が異常な振動を検知すると、異常信号をリモコン装置へ送って、リモコン装置に設置された警報器や、別の場所、例えば屋外等に設置された警報器（ともに図示せず）を動作させ、周囲に聞こえる音量で警報を発するようになっている。
なお振動検知手段１４に警報器を内装して、異常な振動を検知した場合、内装した警報器により警報を発するようにしても勿論よい。
【００１９】
次に前記構成された引き違い戸用ロック装置の作用を説明する。
ロック装置は、予めロック装置本体７とロック部材８及びこれらを引き違い戸１に取り付ける取り付け手段１３をセットにして、日曜大工店等で販売するか、新築住宅の場合は、予めサッシ業者が引き違い戸１を建物に建て付けた際に所定の場所へ取り付ける。
引き違い戸１に取り付けたロック装置を施錠する場合は、手に持ったリモコン装置や、台所や玄関等に設置したリモコン装置を操作して、ロック装置本体７へ施錠信号を送る。
ロック装置本体７に設けられた制御手段１０は、信号受信部１０ａが受信した施錠信号により電動モータ９ａを正転させて、ピニオン９ｃ及びラック９ｄを介してロック杆７ｂの先端をロック部材８のロック孔８ａに挿入し、内外障子２，３を施錠するが、このときロック杆７ｂの両端ともケース７ａ外へ露出しないので、たとえロック装置本体７周辺のガラス５を破って戸の内側へ手を挿入しても、ロック杆７ｂを解錠することはできないため、防犯上安全である。
【００２０】
またガラス５の一部を破っても解錠できないと分った場合、窃盗犯は引き違い戸１を無理にこじ開けたり、ガラス５全体を破って侵入を図ろうとするが、引き違い戸１に発生する異常な振動を振動検知手段１４が検知すると、振動検知手段１４より発せられる異常信号により警報器が動作して大きな警報音を発するため、引き違い戸１をこじ開けたり、ガラス戸全体を破って窃盗犯が建物内に侵入するのを未然に防止することができるようになる。
【００２１】
一方前記実施の形態では、振動検知手段１４をロック装置本体７側に設けたが、図５に示す変形例のようにロック部材８側に設けるようにしてもよい。
この変形例では、ロック部材８に設けられた振動検知手段１４に、異常な振動を検知した際に異常信号を発信する信号発信部と、信号発信部に電力を供給する電源（ともに図示せず）とを設けた構成となっており、振動検知手段１４が異常な振動を検知した場合、異常信号を警報器へ送ってリモコン装置に設置された警報器や、別の場所、例えば屋外等に設置された警報器を動作させることにより、引き違い戸１をこじ開けたり、ガラス戸全体を破って窃盗犯が建物内に侵入するのを未然に防止することができる点は、前記実施の形態と同様である。
なおロック部材８側に警報器を内装して、この警報器より警報を警報を発するようにしてもよく、この場合異常信号を発信する信号発信部を省略することができる。
【００２２】
またこの変形例のように、振動検知手段１４をロック部材８側に設けるようにすれば、ロック装置本体７側に振動検知手段１４を設けるスペースが必要ないため、ロック装置本体７が小型化できると共に、予め振動検知手段１４を設けたロック部材８と振動検知手段１４のないロック部材８を用意して、これらを選択できるようにすることにより、振動検知手段１４を必要としない場合、ロック装置を安価に提供できる上、後から振動検知手段１４付きのロック部材８に交換することもできる。
【００２３】
なお前記実施の形態及び変形例では、ロック装置本体７側の電源１１に電池を使用しているため、ロック杆７ｂをラック９ｄ及びピニオン９ｃで駆動するようにしたが、電源１１に商用電源を使用する場合は電磁ソレノイド等を駆動手段９に使用してもよく、もしくは別の構造の駆動手段９を使用しても勿論よい。
またロック装置本体７及びロック部材８の取り付け位置を、内外障子２，３の縦框２ａと横框３ｂにした場合について説明したが、勿論他の場所でもよく、新築建物の引き違い戸１に取り付ける場合は、予め内外障子２，３の縦框２ａ，３ａや、横框２ｂ，３ｂ，外枠１ａ内に内装するようにしてもよい。
【００２４】
【発明の効果】
本発明は以上詳述したように、取り付け手段により引き違い戸の召し合わせ部近傍に取り付け自在なロック装置本体及びロック部材と、ロック装置本体に設けられ、かつ駆動手段によりロック部材側へ出没されて、ロック部材との間で引き違い戸を施錠及び解錠するロック杆と、リモコン装置より送られる施錠及び解錠信号により駆動手段を制御する制御手段と、引き違い戸に加わる異常な振動を検知して異常信号を発生する振動検知手段とから構成したことから、一般の人が日曜大工店等でロック装置を購入し、取り付け手段により引き違い戸の召し合せ部近傍に取り付けるだけで既存の引き違い戸の戸締りが行えるため、業者に取り付け工事を依頼する従来のロック装置に比べて経費の大幅な削減が図れると共に、引き違い戸をこじ開けたり、窓ガラスを破ったりした場合に発生する異常な振動を検知する振動検知手段からの異常信号により警報を発することにより、窃盗犯の侵入を未然に防止できるため、防犯効果も格段に向上する。
【００２５】
また振動検知手段をロック部材側に設けることにより、ロック装置本体側に振動検知手段を設けるスペースが必要ないため、ロック装置本体が小型化できると共に、予め振動検知手段を設けたロック部材と振動検知手段のないロック部材を用意して、これらを選択できるようにすることにより、振動検知手段を必要としない場合、ロック装置を安価に提供できる上、後から振動検知手段が必要となった場合、振動検知手段付きのロック部材と簡単に交換することもできる。
【００２６】
さらに建物内の任意な場所に設置したリモコン装置に、複数の引き違い戸に設けられたロック装置本体を個別に施錠及び解錠するスイッチ手段と、一斉に施錠及び解錠するスイッチ手段とを設けたことから、複数の引き違い戸にそれぞれ設けられたロック装置を個別に施錠及び解錠したり、一斉に施錠及ぶ解錠する作業が一個所でできることから、各部屋を回って施錠や解錠をする手間が不要になると共に、締め忘れを未然に防止することができるため、防犯上きわめて有効である。
【図面の簡単な説明】
【図１】本発明の実施の形態になる引き違い戸用ロック装置が取り付けられた引き違い戸の正面図である。
【図２】本発明の実施の形態になる引き違い戸用ロック装置の斜視図である。
【図３】図２のＡ−Ａ線に沿う断面図である。
【図４】本発明の実施の形態になる引き違い戸用ロック装置の構成図である。
【図５】本発明の実施の形態になる引き違い戸用ロック装置の変形例を示す断面図である。
【符号の説明】
１　引き違い戸
５　ガラス
７　ロック装置本体
７ｂ　ロック杆
８　ロック部材
９　駆動手段
１０　制御手段
１３　取り付け手段
１４　振動検知手段
【図１】
2004137851.tif 000003
【図２】
2004137851.tif 000004
【図３】
2004137851.tif 000005
【図４】
2004137851.tif 000006
【図５】
2004137851.tif 000007